(57)【要約】      （修正有）【課題】ＲＦコイルの調整を容易にする。【解決手段】磁気共鳴イメージング装置は、ＲＦコイル１１３と、支持フレーム１４０と、調整棒２１と、棒固定部２２とを含む。ＲＦコイル１１３は、トリマコンデンサ１１３１を含む。支持フレーム１４０は、ＲＦコイル１１３を支持する。調整棒２１は、トリマコンデンサ１１３１を調整する。棒固定部２２は、支持フレーム１４０に配置され、トリマコンデンサ１１３１の非調整時において調整棒２１を固定する。【選択図】図２
2019146913.tif 000002
【特許請求の範囲】
【請求項１】
トリマコンデンサを含むＲＦコイルと、
前記ＲＦコイルを支持する支持フレームと、
前記トリマコンデンサを調整する調整棒と、
前記支持フレームに配置され、前記トリマコンデンサの非調整時において前記調整棒を固定する棒固定部と、を具備する磁気共鳴イメージング装置。
【請求項２】
前記調整棒は、前記トリマコンデンサの調整時において、当該トリマコンデンサ側に押し込まれることにより前記棒固定部から外れ、当該トリマコンデンサに接続される請求項１に記載の磁気共鳴イメージング装置。
【請求項３】
前記調整棒は、凸部を有し、
前記棒固定部は、凹部を有し、
前記凸部と前記凹部とが嵌合することで、前記調整棒が前記棒固定部に固定される請求項１または請求項２に記載の磁気共鳴イメージング装置。
【請求項４】
前記棒固定部は、弾性体である請求項１から請求項３のいずれか１項に記載の磁気共鳴イメージング装置。
【請求項５】
前記調整棒は、誘電体である請求項１から請求項４のいずれか１項に記載の磁気共鳴イメージング装置。
【請求項６】
前記調整棒の少なくとも一部分が内包または内接し、当該調整棒を前記トリマコンデンサに導くガイド部をさらに具備する請求項１から請求項５のいずれか１項に記載の磁気共鳴イメージング装置。
【請求項７】
前記調整棒は、トルクリミッタ機構を有する請求項１から請求項６のいずれか１項に記載の磁気共鳴イメージング装置。
【請求項８】
前記トリマコンデンサ、前記調整棒および前記棒固定部の組を複数具備し、
複数の棒固定部は、前記支持フレームの一領域に集約して配置される請求項１から請求項７のいずれか１項に記載の磁気共鳴イメージング装置。
【発明の詳細な説明】
【技術分野】
【０００１】
本発明の実施形態は、磁気共鳴イメージング装置に関する。
【背景技術】
【０００２】
ガントリ内に存在する全身用コイル（ｗｈｏｌｅ  ｂｏｄｙ  ｃｏｉｌ：ＷＢコイル）アレー素子についてのアイソレーション、チューニング又はマッチングなどの調整時には、便宜のため、ＷＢコイルに取り付けられたトリマコンデンサを用いて調整が行われることが一般的である。
【０００３】
しかし、通常使用と同じ環境で調整しないと、ＲＦパワーロスなどの影響により調整がずれる可能性がある。よって、可能な限り正確な調整を行うため、負荷ファントムを乗せる寝台天板と架台レールとを実際に配置して調整が行われることが望ましい。
【０００４】
但し、寝台天板と架台レールとによってＷＢコイルのトリマコンデンサが隠れてしまう。そのため、一度ファントム及び寝台を所定の位置にセットして測定したあと、トリマコンデンサを調整するためには、ファントム及び寝台を移動させ、架台レールを持ち上げる必要がある。
【０００５】
つまり、上述した調整を行う場合は、天板及び架台レールの出し入れやズレ量を見越した調整を目検討で行う必要がある。そのため、調整結果は規格値を満足するが、最適値になるとは限らない。調整作業者および装置の個体差により調整結果に差が生じ、最適な調整が難しい。
【０００６】
また、調整を遠隔で行えるように、調整棒をトリマコンデンサに固定したまま設置してもよいが、傾斜磁場コイルの振動により、調整棒が回転するとトリマコンデンサの調整がずれてしまい、画質劣化など品質に問題が発生する可能性がある。
【先行技術文献】
【特許文献】
【０００７】
【特許文献１】再公表ＷＯ２０１０／１５０７１６号公報
【特許文献２】特開２００４−０１６５８５号公報
【発明の概要】
【発明が解決しようとする課題】
【０００８】
本発明が解決しようとする課題は、ＲＦコイルの調整を容易にすることである。
【課題を解決するための手段】
【０００９】
実施形態に係る磁気共鳴イメージング装置は、ＲＦコイルと、支持フレームと、調整棒と、棒固定部とを含む。ＲＦコイルは、トリマコンデンサを含む。支持フレームは、前記ＲＦコイルを支持する。調整棒は、前記トリマコンデンサを調整する。棒固定部は、前記支持フレームに配置され、前記トリマコンデンサの非調整時において前記調整棒を固定する。
【図面の簡単な説明】
【００１０】
【図１】図１は、実施形態に係る磁気共鳴イメージング装置の構成を示すブロック図。
【図２】図２は、実施形態に係るＭＲＩ装置におけるガントリの内部構造の一例を示す図。
【図３】図３は、実施形態に係るトリマコンデンサと調整棒との位置関係の詳細を示す図。
【図４】図４は、実施形態に係るトリマコンデンサの調整時におけるガントリの断面図。
【図５】図５は、実施形態に係るトリマコンデンサの調整時における棒固定部周辺を拡大した断面を示す斜視図。
【図６】図６は、実施形態に係るトリマコンデンサの固定時におけるガントリの断面図。
【図７】図７は、実施形態に係るトリマコンデンサの固定時における棒固定部周辺を拡大した断面を示す斜視図。
【図８】図８は、実施形態に係るトリマコンデンサの固定時における棒固定部の変形例を示す図。
【図９】図９は、実施形態に係るトリマコンデンサの調整時における棒固定部の変形例を示す図。
【図１０】図１０は、実施形態に係るトルクリミッタ機構を用いた変形例を示す図。
【図１１】図１１は、実施形態に係るトリマコンデンサへのアダプタの装着例を示す図。
【図１２】図１２は、実施形態に係るアダプタの凹部の形状の第１例を示す図。
【図１３】図１３は、実施形態に係るアダプタの凹部の形状の第２例を示す図。
【図１４】図１４は、実施形態に係るガイドの変形例を示す図。
【図１５】図１５は、実施形態の変形例を示す図。
【発明を実施するための形態】
【００１１】
以下、図面を参照しながら、磁気共鳴イメージング装置の実施形態について詳細に説明する。
【００１２】
（実施形態）  
図１を用いて、本実施形態に係る磁気共鳴イメージング（Ｍａｇｎｅｔｉｃ  ｒｅｓｏｎａｎｃｅ  ｉｍａｇｉｎｇ：以下、ＭＲＩと呼ぶ）装置の構成について説明する。図１は、本実施形態に係るＭＲＩ装置１００の構成を示す図である。
【００１３】
同図に示すように、本実施形態に係るＭＲＩ装置１００は、静磁場磁石１０１と、傾斜磁場コイル１０３と、傾斜磁場電源１０５と、寝台１０７と、寝台制御回路１０９と、ＲＦ（Ｒａｄｉｏ  Ｆｒｅｑｕｅｎｃｙ）コイル１１３と、送信回路１１５と、受信コイル１１７と、受信回路１１９と、シーケンス制御回路１２１と、インタフェース１２５と、ディスプレイ１２７と、記憶装置１２９と、処理回路１３１とを備える。
【００１４】
静磁場磁石１０１、傾斜磁場コイル１０３及びＲＦコイル１１３は、ガントリ（図示せず）内に格納される。
【００１５】
静磁場磁石１０１は、中空の円筒形状に形成された磁石であり、内部の空間に一様な静磁場（Ｂ０）を発生する。この静磁場磁石１０１としては、例えば、超伝導磁石等が使用される。
【００１６】
傾斜磁場コイル１０３は、中空の円筒形状に形成されたコイルであり、静磁場磁石１０１の内側に配置される。傾斜磁場コイル１０３は、互いに直交するＸ、Ｙ、Ｚの各軸に対応する３つのコイルが組み合わされて形成される。Ｚ軸方向は、静磁場と同じ方向であるとする。また、Ｙ軸方向は、鉛直方向とし、Ｘ軸方向は、Ｚ軸及びＹ軸に垂直な方向とする。傾斜磁場コイル１０３における３つのコイルは、傾斜磁場電源１０５から個別に電流供給を受けて、Ｘ、Ｙ、Ｚの各軸に沿って磁場強度が変化する傾斜磁場を発生させる。
【００１７】
傾斜磁場コイル１０３によって発生するＸ、Ｙ、Ｚ各軸の傾斜磁場は、例えば、周波数エンコード用傾斜磁場（リードアウト傾斜磁場ともいう）、位相エンコード用傾斜磁場及びスライス選択用傾斜磁場を形成する。周波数エンコード用傾斜磁場は、空間的位置に応じてＭＲ信号の周波数を変化させるために利用される。位相エンコード用傾斜磁場は、空間的位置に応じて磁気共鳴（Ｍａｇｎｅｔｉｃ  ｒｅｓｏｎａｎｃｅ：以下、ＭＲと呼ぶ）信号の位相を変化させるために利用される。スライス選択用傾斜磁場は、任意に撮像断面を決めるために利用される。
【００１８】
傾斜磁場電源１０５は、シーケンス制御回路１２１の制御により、傾斜磁場コイル１０３に電流を供給する電源装置である。
【００１９】
寝台１０７は、被検体Ｐが載置される天板１０７１を備えた装置である。寝台１０７は、寝台制御回路１０９による制御のもと、被検体Ｐが載置された天板１０７１を、ボア１１１内へ挿入する。通常、寝台１０７は、長手方向が静磁場磁石１０１の中心軸と平行になるように、本ＭＲＩ装置１００が設置された検査室内に設置される。
【００２０】
寝台制御回路１０９は、寝台１０７を制御する回路であり、例えばプロセッサにより実現される。寝台制御回路１０９は、インタフェース１２５を介した操作者の指示により寝台１０７を駆動し、天板１０７１を長手方向及び上下方向へ移動する。
【００２１】
ＲＦコイル１１３は、傾斜磁場コイル１０３の内側に配置された送信コイルである。ＲＦコイル１１３は、送信回路１１５から高周波パルス（ＲＦパルス）の供給を受けて、高周波磁場に相当する送信ＲＦ波を発生する。ＲＦコイル１１３は、例えば、全身用コイル（ｗｈｏｌｅ  ｂｏｄｙ  ｃｏｉｌ：ＷＢコイル）である。ＲＦコイル１１３は、送受信コイルとして使用されてもよい。
【００２２】
送信回路１１５は、シーケンス制御回路１２１の制御により、ラーモア周波数で変調された高周波パルスをＲＦコイル１１３に供給する。具体的には、送信回路１１５は、発振部、位相選択部、周波数変換部、振幅変調部、高周波電力増幅部等を有する。発振部は、静磁場中における対象原子核に固有の共鳴周波数の高周波信号を発生する。位相選択部は、上記高周波信号の位相を選択する。周波数変換部は、位相選択部から出力された高周波信号の周波数を変換する。振幅変調部は、周波数変調部から出力された高周波信号の振幅を例えばｓｉｎｃ関数に従って変調する。高周波電力増幅部は、振幅変調部から出力された高周波信号を増幅する。これらの各部の動作の結果として、送信回路１１５は、ラーモア周波数に対応する高周波パルスをＲＦコイル１１３に出力する。
【００２３】
受信コイル１１７は、傾斜磁場コイル１０３の内側に配置されたＲＦコイルであり、高周波磁場によって被検体Ｐから放射されるＭＲ信号を受信する。受信コイル１１７は、受信したＭＲ信号を受信回路１１９へ出力する。受信コイル１１７は、典型的には複数のコイルエレメントを有するコイルアレイである。なお、図１においてＲＦコイル１１３と受信コイル１１７とは別個のＲＦコイルとして記載されているが、ＲＦコイル１１３と受信コイル１１７とは、一体化された送受信コイルとして実施されてもよい。送受信コイルは、例えば、被検体Ｐの撮像対象に対応し、頭部コイルのような局所的な送受信ＲＦコイルである。
【００２４】
受信回路１１９は、シーケンス制御回路１２１の制御により、受信コイル１１７から出力されたＭＲ信号に基づいて、デジタル化された複素数データである磁気共鳴データ（以下、ＭＲデータと呼ぶ）を生成する。具体的には、受信回路１１９は、受信コイル１１７から出力されたＭＲ信号に対して、前置増幅、中間周波変換、位相検波、低周波増幅、フィルタリング等の各種信号処理を施した後、各種信号処理が施されたデータに対してアナログ／デジタル（Ａ／Ｄ（Ａｎａｌｏｇ  ｔｏ  Ｄｉｇｉｔａｌ））変換を実行する。受信回路１１９は、ＡＤ変換されたデータを標本化（サンプリング）する。これにより、受信回路１１９は、ＭＲデータを生成する。受信回路１１９は、生成したＭＲデータを、シーケンス制御回路１２１に出力する。受信回路１１９により生成されたＭＲデータは、生データとも呼ばれる。
【００２５】
シーケンス制御回路１２１は、処理回路１３１から出力されたパルスシーケンス情報に従って、傾斜磁場電源１０５、送信回路１１５及び受信回路１１９を制御し、被検体Ｐに対する撮像を行う。パルスシーケンス情報には、傾斜磁場電源１０５により傾斜磁場コイル１０３に供給される電流の大きさや時間幅、傾斜磁場電源１０５により電流が傾斜磁場コイル１０３に供給されるタイミング、送信回路１１５によりＲＦコイル１１３に供給されるＲＦパルスの大きさ、送信回路１１５によりＲＦコイル１１３にＲＦパルスが供給されるタイミング、受信回路１１９によりＭＲ信号が受信されるタイミング等が定義される。傾斜磁場電源１０５により傾斜磁場コイル１０３に供給される電流の大きさは、パルスシーケンスに応じた傾斜磁場の波形に対応する。
【００２６】
インタフェース１２５は、操作者からの各種指示や情報入力を受け付ける回路を有する。インタフェース１２５は、例えば、関心領域（ＲＯＩ）の設定などを行うためのスイッチボタン、マウス、キーボード、操作面へ触れることで入力操作を行うタッチパッド、表示画面とタッチパッドとが一体化されたタッチスクリーン、光学センサを用いた非接触入力回路、及び音声入力回路等によって実現される。インタフェース１２５は、シーケンス制御回路１２１及び寝台制御回路１０９に接続されており、操作者から受け取った入力操作を電気信号へ変換し各制御回路へと出力する。なお、本明細書においてインタフェースはマウス、キーボードなどの物理的な操作部品を備えるものだけに限られない。例えば、装置とは別体に設けられた外部の入力機器から入力操作に対応する電気信号を受け取り、この電気信号を各制御回路へ出力する電気信号の処理回路もインタフェースの例に含まれる。
【００２７】
ディスプレイ１２７は、処理回路１３１におけるシステム制御機能１３１１による制御のもとで、画像生成機能１３１５により再構成されたＭＲ画像等の各種の情報を表示する。ディスプレイ１２７は、例えば、ＣＲＴディスプレイや液晶ディスプレイ、有機ＥＬディスプレイ、ＬＥＤディスプレイ、プラズマディスプレイ、又は当技術分野で知られている他の任意のディスプレイ、モニタ等の表示デバイスである。
【００２８】
記憶装置１２９は、データ配列機能１３１３を介してｋ空間に配列されたＭＲデータ、画像生成機能１３１５により生成された画像データ等を記憶する。記憶装置１２９は、各種撮像プロトコル、撮像プロトコルを規定する複数の撮像パラメータを含む撮像条件等を記憶する。記憶装置１２９は、処理回路１３１で実行される各種機能に対応するプログラムを記憶する。記憶装置１２９は、例えば、ＲＡＭ（Ｒａｎｄｏｍ  Ａｃｃｅｓｓ  Ｍｅｍｏｒｙ）、フラッシュメモリ等の半導体メモリ素子、ハードディスクドライブ（ｈａｒｄ  ｄｉｓｋ  ｄｒｉｖｅ）、ソリッドステートドライブ（ｓｏｌｉｄ  ｓｔａｔｅ  ｄｒｉｖｅ）、光ディスク等である。また、記憶装置１２９は、ＣＤ−ＲＯＭドライブやＤＶＤドライブ、フラッシュメモリ等の可搬性記憶媒体との間で種々の情報を読み書きする駆動装置等であってもよい。
【００２９】
処理回路１３１は、ハードウェア資源として図示していないプロセッサ、ＲＯＭやＲＡＭ等のメモリ等を有し、本ＭＲＩ装置１００を制御する。具体的には、処理回路１３１は、記憶装置１２９に記憶されているシステム制御プログラムを読み出してメモリ上に展開し、展開されたシステム制御プログラムに従って本ＭＲＩ装置１００の各回路を制御する。処理回路１３１は、システム制御機能１３１１、データ配列機能１３１３及び画像生成機能１３１５を有する。システム制御機能１３１１、データ配列機能１３１３及び画像生成機能１３１５にて行われる各種機能は、コンピュータによって実行可能なプログラムの形態で記憶装置１２９へ記憶されている。処理回路１３１は、これら各種機能に対応するプログラムを記憶装置１２９から読み出し、実行することで各プログラムに対応する機能を実現するプロセッサである。換言すると、各プログラムを読みだした状態の処理回路１３１は、図１の処理回路１３１内に示された各機能を有する。
【００３０】
なお、図１においては単一の処理回路１３１にてこれら各種機能が実現されるものとして説明したが、複数の独立したプロセッサを組み合わせて処理回路１３１を構成し、各プロセッサがプログラムを実行することにより機能を実現するものとしても構わない。換言すると、上述のそれぞれの機能がプログラムとして構成され、１つの処理回路が各プログラムを実行する場合であってもよいし、特定の機能が専用の独立したプログラム実行回路に実装される場合であってもよい。なお、処理回路１３１が有するシステム制御機能１３１１、データ配列機能１３１３及び画像生成機能１３１５は、それぞれ制御部、データ配列部及び画像生成部の一例である。
【００３１】
上記説明において用いた「プロセッサ」という文言は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。
【００３２】
プロセッサは、記憶装置１２９に保存されたプログラムを読み出し実行することで機能を実現する。なお、記憶装置１２９にプログラムを保存する代わりに、プロセッサの回路内にプログラムを直接組み込むよう構成しても構わない。この場合、プロセッサは、回路内に組み込まれたプログラムを読み出し実行することで機能を実現する。なお、寝台制御回路１０９、送信回路１１５、受信回路１１９、シーケンス制御回路１２１等も同様に、上記プロセッサ等の電子回路により構成される。
【００３３】
次に、本実施形態に係るＭＲＩ装置１００における、ガントリの内部構造の一例について図２を参照して説明する。
図２は、ガントリ１５０に係るＸ軸方向に垂直な断面図である。また、図２は本実施形態に係るＲＦコイルの調整時の状態である。ＲＦコイルの調整にファントム１６０が用いられ、ファントム１６０が搭載された天板１０７１がボア１１１内に挿入される。
【００３４】
ガントリ１５０内では、ファントム１６０が存在するボア１１１内壁からガントリ１５０の外壁に向かって、ＲＦコイル１１３、支持フレーム１４０、傾斜磁場コイル１０３及び静磁場磁石１０１の順に配置される。
また、ガントリ１５０には、天板１０７１がボア１１１内に挿入される際のガイドとなる架台レール１３７が設置される。
【００３５】
ＲＦコイル１１３は、ガントリ１５０内に円筒状に配置され、トリマコンデンサ１１３１を含む。
トリマコンデンサ１１３１は、静電容量を変えることができる半固定可変コンデンサである。トリマコンデンサ１１３１は、ＲＦコイル１１３の裏面（ガントリ１５０の外壁側）に配置され、本実施形態では、架台レール１３７の裏側に配置されるトリマコンデンサ１１３１を調整する場合を想定する。トリマコンデンサ１１３１は、ここではマイナスドライバ（ねじ回し）で調整可能な、ネジ頭が「−」（マイナス）形状の溝を有するすり割り付きネジを有する。当該ネジを回すことにより、トリマコンデンサ１１３１の静電容量が調整される。トリマコンデンサ１１３１の静電容量が調整されることで、例えばＲＦコイル１１３の送信周波数を変更できる。
【００３６】
支持フレーム１４０は、ＲＦコイル１１３を支持するフレームであり、ＲＦコイル１１３を覆う外周に配置される。
【００３７】
調整棒２１は、例えば繊維強化プラスチック（ＦＲＰ：ｆｉｂｅｒｇｌａｓｓ  ｒｅｉｎｆｏｒｃｅｄ  ｐｌａｓｔｉｃｓ）といった誘電体の材料で形成される棒である。調整棒２１は、ガントリのｚ軸方向端部からトリマコンデンサ１１３１付近まで延在する。調整棒２１は、支持フレーム１４０に配置される後述の棒固定部２２に、着脱可能に固定される。調整棒２１のトリマコンデンサ１１３１側の先端部は、ここではマイナスドライバの先端と同様の形状を有する。なお、当該先端部は、トリマコンデンサ１１３１のネジ頭に挿入可能な形状であればよい。調整棒２１の先端部は、強度確保のため弱磁性体（例えばステンレス）またはセラミックで形成されればよい。調整作業者が調整棒２１を操作する時の持ち手側、すなわち調整棒２１の先端部と反対側の端部は、調整作業者が握りやすいようにラバー加工が施されても良いし、調整棒２１の径よりも大きなグリップ部材が接続されてもよい。
【００３８】
棒固定部２２は、例えば誘電体かつ弾性体で形成され、支持フレーム１４０の面のうちＲＦコイル１１３が接触する面に配置される。具体的には、棒固定部２２は、調整作業者が調整棒２１を操作する時の持ち手側を固定できる位置に配置され、トリマコンデンサ１１３１の非調整時において調整棒２１を固定する。棒固定部２２の詳細については図４以降を参照して後述する。
【００３９】
ガイド２３は、調整棒２１をトリマコンデンサ１１３１へ導くためのガイドであり、例えばＦＲＰといった誘電体の材料により、調整棒２１が挿入可能な円筒状に形成される。なお、ガイド２３は、円筒に限らず半円筒状であってもよい。つまり、ガイド２３は、調整棒２１を内包した状態又は調整棒２１が内接した状態で、調整作業者がトリマコンデンサ１１３１の調整時において調整棒２１を挿入した際に調整棒２１をトリマコンデンサ１１３１まで導ける形状であればよい。
【００４０】
ガイド支持部２４は、例えば高剛性の誘電体で形成される。ガイド支持部２４は、棒固定部２２と同一の支持フレーム１４０の面上に、トリマコンデンサ１１３１と棒固定部２２との間に配置され、ガイド２３を支持する。
図２に示すように、調整すべきトリマコンデンサ１１３１に対応して、上述した調整棒２１、棒固定部２２、ガイド２３及びガイド支持部２４の一組が配置されればよい。
【００４１】
次に、トリマコンデンサ１１３１と調整棒２１との位置関係の詳細について図３を参照して説明する。
図３は、図２に示すトリマコンデンサ１１３１と調整棒２１との接続部分に関する拡大図である。
【００４２】
ＲＦコイル１１３には、トリマコンデンサ１１３１に調整棒２１が接続される際のずれを抑制するように、ガイド２３を固定するためのガイド固定部１１３２が配置される。
ガイド固定部１１３２は、例えば高剛性の誘電体で形成される。ガイド固定部１１３２は、ガイド２３のトリマコンデンサ１１３１側の端部を固定するとともに、調整棒２１がトリマコンデンサ１１３１のネジに向けて移動可能とするための空隙を有する構造である。また、空隙の大きさは、調整棒２１をガイド２３に沿って前後方向（Ｚ軸方向）に移動させたときに、調整棒２１の先端のＸＹ平面でのずれを抑制できる大きさであることが望ましい。
【００４３】
次に、トリマコンデンサ１１３１の静電容量を調整する場合について図４及び図５を参照して説明する。
図４は、トリマコンデンサ１１３１の調整時におけるガントリ１５０の断面図である。図５は、棒固定部２２周辺を拡大した断面の斜視図である。
【００４４】
図４及び図５に示すように、調整棒２１は、調整作業者により把持される側に凸部２１１を有する。一方、棒固定部２２は、当該凸部２１１に対応する凹部２２１を有する。調整棒２１の凸部２１１が、棒固定部２２の凹部２２１に嵌合することにより、調整棒２１が棒固定部２２に固定される。
【００４５】
架台レール１３７の裏面側（下側）と支持フレーム１４０との間には空間がある。トリマコンデンサ１１３１の調整時には、調整作業者が当該空間に手を挿入して調整棒２１を把持する。調整棒２１が調整作業者によってトリマコンデンサ１１３１側に閾値以上の圧力で押し込まれると、調整棒２１は弾性体で形成される棒固定部２２から外れる。調整棒２１が棒固定部２２から外れた後、調整作業者により調整棒２１がさらに押し込まれることで、調整棒２１の先端は、トリマコンデンサ１１３１のネジ頭に挿入される。ネジ頭に調整棒２１の先端が挿入されたかどうかは、調整作業者が調整棒２１を回転させることで調整棒２１の先端がネジ頭に嵌まる位置を探り、先端がネジ頭に嵌まった感覚により判断すればよい。
【００４６】
調整棒２１の先端がトリマコンデンサ１１３１のネジ頭に挿入された状態で、調整作業者が調整棒２１を回すことにより、トリマコンデンサ１１３１のネジが回転する。これにより、トリマコンデンサ１１３１の静電容量を調整することができる。
【００４７】
次に、トリマコンデンサ１１３１の調整後における調整棒２１の固定時（退避時）について図６及び図７を参照して説明する。
図６は、調整棒２１の固定時におけるガントリ１５０の断面図である。図７は、棒固定部２２周辺を拡大した断面の斜視図である。
【００４８】
図４に示すトリマコンデンサ１１３１の調整が完了した後、撮像時には調整棒２１が動かないように固定する必要がある。そのため、調整棒２１は、調整作業者によって手前側（トリマコンデンサ１１３１から離れる方向）に引かれる。その後、調整棒２１の凸部２１１が棒固定部２２の凹部２２１に嵌合することにより、調整棒２１が固定される。
【００４９】
なお、調整棒２１の棒固定部２２での固定方法は、上述の方法に限らない。
例えば、調整棒２１を回転させることで、ある角度において調整棒２１の凸部と棒固定部２２の凹部とが係止する（ロックする）ような構造でもよい。この場合、トリマコンデンサ１１３１を調整するときは、当該角度とは異なる角度に調整棒２１を回転させて前後方向に移動させればよい。
【００５０】
次に、棒固定部２２の変形例について図８及び図９を参照して説明する。
図８は、トリマコンデンサ１１３１の調整前及び調整棒２１の退避後を示す図である。
例えば、棒固定部２２は、調整棒２１がトリマコンデンサ１１３１側へ押し込まれることで、トリマコンデンサ１１３１と反対方向に弾性力が生じる構成であってもよい。
このとき、棒固定部２２は、例えばゴムに代表される弾性体で形成される。棒固定部２２と調整棒２１とは、調整棒２１が棒固定部２２を貫通した状態で接着される。また、調整棒２１に形成される凸部２１１が、棒固定部２２を挟むように接着される。凸部２１１は、ストッパーの役割を果たす。
【００５１】
図９は、トリマコンデンサ１１３１の調整時における棒固定部２２及び調整棒２１を示す。
調整棒２１をトリマコンデンサ１１３１側へ押し込むことにより、棒固定部２２がトリマコンデンサ１１３１方向にたわみ、元の位置へ戻る弾性力が発生する。調整作業者によるトリマコンデンサ１１３１の調整が完了した後、調整作業者が調整棒２１を押し込む力を緩めると、調整棒２１が元の位置まで戻る。
【００５２】
棒固定部２２の弾性力により元の位置に調整棒２１が戻って固定されるため、調整作業者が調整棒２１を退避する際に棒固定部２２に固定する作業が不要となり、調整時の利便性を向上させることができる。
【００５３】
次に、トルクリミッタを用いた変形例について図１０を参照して説明する。
調整棒２１によりトリマコンデンサ１１３１のネジを回して調整する際、それ以上ネジを回すことができないにもかかわらず、過度にネジを回してしまうことでネジ頭の溝を潰してしまう（いわゆるネジがなめた状態になる）可能性もある。このような状態を回避するため、トルクリミッタを設けてもよい。
トルクリミッタは、設定値以上の負荷（トルク）がかかると、駆動部分を機械的に切り離し、空回りさせることでトルクを伝達させない機構である。
【００５４】
本実施形態では、図１０に示すように、棒固定部２２とガイド支持部２４との間の位置に、トルクリミッタ４０が調整棒２１の中間に接続される例を示す。なお、トルクリミッタ４０が調整棒２１に接続される位置は、これに限らず調整棒２１のどの位置に接続されてもよい。
【００５５】
また、本実施形態では、調整棒２１の先端形状は、トリマコンデンサ１１３１のネジ頭に合わせてマイナスドライバと同様の形状であるが、他の形状であってもよい。調整棒２１の先端を他の形状とする場合は、トリマコンデンサ１１３１にアダプタ６０を装着すればよい。
【００５６】
トリマコンデンサ１１３１へのアダプタ６０の装着例を図１１に示す。
アダプタ６０は、トリマコンデンサ１１３１に接続される側は、トリマコンデンサのネジ頭の形状に合わせた凸形状を有する。一方、アダプタ６０の調整棒２１が挿入される側の形状は、調整棒２１の先端の形状に合わせた凹部を有する。
【００５７】
次に、アダプタ６０の凹部の形状の第１例について図１２を参照して説明する。
図１２は、調整棒２１の先端が六角錐の形状であり、アダプタ６０の凹部の形状が調整棒２１に対応する六角錐の形状である場合について示す。
アダプタ６０に調整棒２１が挿入された後は、調整棒２１を回転させることでアダプタ６０を介してトリマコンデンサ１１３１のネジも回転する。よって、トリマコンデンサ１１３１の静電容量を調整することができる。
【００５８】
図１２に示すように、調整棒２１の先端が六角錐などの多角錐の形状であれば、アダプタ６０に挿入する直前は凹部の形状と角度がずれていても、凹部に嵌まる角度のずれがマイナス形状（「−」形状）よりも少ないため、挿入して行くにつれて自然と凹部に嵌まるように調整棒２１が回転しやすく、調整棒２１を挿入しやすい。よって、調整作業者が調整棒２１の先端がネジ頭に嵌まるまで調整棒２１を回転させる処理が必要なくなり、調整作業者の利便性を向上させることができる。
【００５９】
次に、アダプタ６０の凹部の形状の第２例について図１３を参照して説明する。
図１３は、調整棒２１の先端が正四角柱の形状であり、アダプタ６０の凹部の形状が調整棒２１に対応する正四角柱の形状である場合について示す。
図１３に示すように、調整棒２１の先端が正四角柱などの正角柱の形状であれば、マイナス形状（すり割りの形状）よりも調整棒２１を挿入しやすい。これは、アダプタ６０の凹部に対して正多角形の形状がＺ軸方向周りの回転角度においてずれていても、マイナス形状よりも正多角形のほうが凹部に嵌まる角度のずれが少ないためである。さらに、多角柱形状により、深く確実に調整棒２１の先端がアダプタ６０の凹部に挿入されるため、アダプタのネジをなめる可能性を低減することができる。
【００６０】
次に、ガイド２３の変形例について図１４を参照して説明する。
上述の例では、ガイド支持部２４からガイド固定部１１３２までの間でガイド２３が引き延ばされているが、調整棒２１を押し込んだ際に、意図しない方向へ曲がることを抑制できる位置にある程度ガイド２３が存在すれば、ガイド支持部２４からガイド固定部１１３２までの間でガイド２３が延在しなくてもよい。
【００６１】
具体的には、図１４に示すように、ガイド固定部１１３２に結合する部分とガイド支持部２４内の部分とにガイド２３が存在し、他の部分にはガイド２３を有さない構成でもよい。調整棒２１は、ある程度柔軟性を有しているため、トリマコンデンサ１１３１へ調整棒を誘導するために必要な箇所に部分的にガイド２３が存在していればよい。
【００６２】
（本実施形態の変形例）
次に、本実施形態の変形例として、調整棒２１を操作する位置が集約された場合の一例について図１５に示す。
図１５は、４つのトリマコンデンサを調整する場合を示す。図１５に示すように、複数のトリマコンデンサ１１３１を調整する場合は、各棒固定部２２は集約されて配置されてもよい。このとき、各調整棒２１がガイド２３に沿って各トリマコンデンサ１１３１まで延在する。
調整棒２１は、ある程度の柔軟性を有するため、トリマコンデンサ１１３１から略直線にガイド２３が配置されず、図１５のように所望の位置までガイドを引き延ばせばよい。これによって、トリマコンデンサ１１３１の調整が可能となる。
【００６３】
以上に示した本実施形態によれば、トリマコンデンサを調整するための調整棒を、ＲＦコイルを支持する支持フレームに設置される棒固定部に固定し、調整時には調整棒を押し込むことでトリマコンデンサに接続して調整可能とし、調整後は棒固定部に固定する。これにより、ＲＦコイルの調整を容易にすることができる。
【００６４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６５】
２１  調整棒
２２  棒固定部
２３  ガイド
２４  ガイド支持部
４０  トルクリミッタ
６０  アダプタ
１００  ＭＲＩ装置
１０１  静磁場磁石
１０３  傾斜磁場コイル
１０５  傾斜磁場電源
１０７  寝台
１０９  寝台制御回路
１１１  ボア
１１３  ＲＦコイル（ＷＢコイル）
１１５  送信回路
１１７  受信コイル
１１９  受信回路
１２１  シーケンス制御回路
１２５  インタフェース
１２７  ディスプレイ
１２９  記憶装置
１３１  処理回路
１３７  架台レール
１４０  支持フレーム
１５０  ガントリ
１６０  ファントム
２１１  凸部
２２１  凹部
１０７１  天板
１１３１  トリマコンデンサ
１１３２  ガイド固定部
１３１１  システム制御機能
１３１３  データ配列機能
１３１５  画像生成機能
【図１】
2019146913.tif 000003
【図２】
2019146913.tif 000004
【図３】
2019146913.tif 000005
【図４】
2019146913.tif 000006
【図５】
2019146913.tif 000007
【図６】
2019146913.tif 000008
【図７】
2019146913.tif 000009
【図８】
2019146913.tif 000010
【図９】
2019146913.tif 000011
【図１０】
2019146913.tif 000012
【図１１】
2019146913.tif 000013
【図１２】
2019146913.tif 000014
【図１３】
2019146913.tif 000015
【図１４】
2019146913.tif 000016
【図１５】
2019146913.tif 000017